(57)【要約】【課題】現像剤を均等に分散させ、現像剤の凝集を防止することができる現像剤攪拌搬送装置並びにこれを有するプロセスカートリッジ及び電子写真方式等の画像形成装置を提供する。【解決手段】第２の攪拌搬送装置１１０は、回転軸となる一直線上に配置される軸部１１６ａ，１１６ｂ、屈曲部１１８及び平坦部１２０ａ，１２０ｂから構成される。屈曲部１１８は、屈曲部１１８の中心点が第２の攪拌搬送装置１１０のほぼ中央で回転軸から外れるように配置される。平坦部１２０ａ，１２０ｂは、板状に形成されて、それぞれ軸部１１６ａ，１１６ｂと屈曲部１１８とを接続し、傾斜して回転軸に向かう面が大きくなるように配置される。さらに、平坦部１２０ａ，１２０ｂには、現像剤を通過させることができる窓状の現像剤通過部１２２が複数設けられている。【選択図】          図３
2004157439.tif 000002
【特許請求の範囲】
【請求項１】
支軸と、この支軸の中心線から外れた位置にある少なくとも１つの屈曲部と、この屈曲部間又は屈曲部と前記支軸とを接続する平坦部とを有することを特徴とする現像剤攪拌搬送装置。
【請求項２】
前記支軸は、両側に配置され、前記屈曲部の少なくとも１つは、前記支軸間の略中央に配置されてなることを特徴とする請求項１記載の現像剤攪拌搬送装置。
【請求項３】
前記平坦部は、板状部と、この板状部に形成された現像剤通過部とを有することを特徴とする請求項２記載の現像剤攪拌搬送装置。
【請求項４】
前記平坦部は、棒状部を有することを特徴とする請求項２記載の現像剤攪拌搬送装置。
【請求項５】
画像形成装置本体に着脱自在に装着され、像担持体と、この像担持体に形成された潜像を可視化し、現像剤収納部を有する現像装置とを具備するプロセスカートリッジにおいて、請求項１乃至４いずれか記載の現像剤攪拌搬送装置を有することを特徴とするプロセスカートリッジ。
【請求項６】
請求項５記載のプロセスカートリッジを有する画像形成装置。
【発明の詳細な説明】
【０００１】
【発明の属する技術分野】
本発明は、現像剤を攪拌し搬送する現像剤攪拌搬送装置並びにこれを有するプロセスカートリッジ及び電子写真方式等の画像形成装置に関するものである。
【０００２】
【従来の技術】
画像形成装置の現像剤を収納する現像剤カートリッジにおいて、円弧羽根などによりらせん状の搬送ねじを形成し、回転軸の両端から巻き方向が異なる搬送ねじによって現像剤を中央部に搬送することは公知である（特許文献１参照）。
【０００３】
【特許文献１】特開２００２−４０７８８号公報
【０００４】
【発明が解決しようとする課題】
しかしながら、巻き方向が異なる搬送ねじは現像剤をカートリッジの中央部に搬送し続けるために、現像剤が中央部付近で凝集することがある。
【０００５】本発明は、現像剤の凝集を防止する現像剤攪拌搬送装置並びにこれを有するプロセスカートリッジ及び電子写真方式等の画像形成装置を提供することを目的としている。
【０００６】
【課題を解決するための手段】
上記目的を達成するため、本発明の第１の特徴とするところは、支軸と、この支軸の中心線から外れた位置にある少なくとも１つの屈曲部と、この屈曲部間又は屈曲部と前記支軸とを接続する平坦部とを有する現像剤攪拌搬送装置にある。現像剤攪拌搬送装置は、平坦部を支軸の中心線から屈曲部へ向けて傾けられているので、平坦部の傾きに沿って現像剤を攪拌し搬送することができる。
【０００７】例えば、平坦部の支軸に対する内面の傾きに沿って現像剤を両端から中央へ搬送するように支軸は両側に配置され、屈曲部の少なくとも１つは、支軸間の略中央に配置される。また、中央に搬送された現像剤が中央部付近で凝集することを防止するため、平坦部は現像剤を通過させる現像剤通過部を有することが好ましい。中央から現像剤通過部を通過した現像剤が平坦部の支軸に対する外面の傾きに沿って中央から両端へ搬送されるため、現像剤収納部の現像剤は均等に分散させられる。平坦部は、現像剤の流動性が良い場合には、棒状に形成されることが好ましい。
【０００８】本発明の第２の特徴とするところは、画像形成装置本体に着脱自在に装着され、像担持体と、この像担持体に形成された潜像を可視化し、現像剤収納部を有する現像装置とを具備するプロセスカートリッジにおいて、上記のように構成された現像剤攪拌搬送装置を有するプロセスカートリッジにある。
【０００９】本発明は、上記のように構成されたプロセスカートリッジを有する画像形成装置を含むものである。
【００１０】
【発明の実施の形態】次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８，１８が配置されている。さらに、画像形成装置本体１２の下方には、オプションとして着脱装着される給紙ユニット１８，１８が配置されている。
【００１１】それぞれの給紙ユニット１８は、給紙ユニット本体２０と、用紙が収納される給紙カセット２２とを有する。給紙カセット２２は、給紙ユニット本体２０に対して摺動自在に装着され、正面方向（図１の右方向）に引き出される。また、給紙カセット２２の奥端近傍上部にはナジャーロール２４が配置され、このナジャーロール２４の前方にリタードロール２６及びフィードロール２８が配置されている。さらにオプションの給紙ユニット１８，１８には、それぞれ対をなす送りロール３０が設けられている。
【００１２】上記複数の給紙カセット２２の少なくとも一つは、伸縮自在のもので、主枠体３２と、この主枠体３２に対して摺動自在に設けられた補助枠体３４とを有し、図１において１点鎖線で示すように、補助枠体３４は、伸ばした場合には、画像形成装置本体１２から正面方向に少なくとも補助枠体３４の一部である長さＡだけ突出し、縮めた場合には、画像形成装置本体１２の正面壁面に一致するようにしてある。
【００１３】搬送路３６は、最下端の給紙ユニット１８のナジャーロール２４から排出口３８までの用紙通路であり、この搬送路３６は、画像形成装置本体１２の裏面（図１の左側面）近傍にあって、最下端の給紙ユニット１８の送りロール３０から後述する転写装置６２まで略鉛直に形成されている部分を有する。この搬送路３６の定着装置６４の上流側に後述する転写装置６２と像担持体５４が配置され、さらに転写装置６２と像担持体５４の上流側にレジストロール４０が配置されている。さらに、搬送路３６の排出口３８の近傍には排出ロール４２が配置されている。
【００１４】したがって、前述した給紙ユニット１８から搬送されたシートは、搬送路３６のレジストロール４０により一時停止され、所定のタイミングで像形成手段１４に送られて像が形成され、排出ロール４２により排出部１６へ排出される。
【００１５】ただし、両面印刷の場合は、反転路に戻される。即ち、排出ロール４２の手前は２股に別れ、その分かれた部分に切換爪４４が設けられていると共に、分かれた部分からレジストロール４２まで戻る反転路４６が形成されている。この反転路４６には搬送ロール４８ａ〜４８ｃが設けられており、両面印刷の場合には、切換爪４４が反転路４６を開く側に切り換えられ、排出ロール４２にシートの後端手前がかかる時点で排出ロール４２が反転し、記録媒体が反転路４６に導かれ、レジストロール４０、転写装置６２と像担持体５４及び定着装置６４を通って排出部１６へ排出されるものである。
【００１６】排出部１６は、画像形成装置本体１２に対して回動自在の傾斜部５０を有する。この傾斜部５０は、排出口部分が低く、正面方向（図１の右方向）に向けて徐々に高くなるよう傾斜しており、排出口部分を下端とし、高くなった先端を上端としている。この傾斜部５０は下端を中心に回動自在であるよう画像形成装置本体１２に支持されている。図１で２点鎖線で示すように、傾斜部５０を上方に回転して開いたときには、開放部５２が形成され、この開放部５２を介して後述するプロセスカートリッジ６８が脱着できるようにしてある。
【００１７】像形成手段１４は、例えば電子写真方式のもので、感光体からなる像担持体５４と、この像担持体５４を一様帯電する例えば帯電ロールからなる帯電装置５６と、この帯電装置５６により帯電された像担持体５４に、光により潜像を書き込む光書込み装置５８と、この光書込み装置５８により形成された像担持体５４の潜像を現像剤により可視化する現像機ユニット６０と、この現像機ユニット６０による現像剤像を用紙に転写する例えば転写ロールからなる転写装置６２と、像担持体５４に残存する現像剤をクリーニングする例えばブレードからなるクリーニング装置６３と、転写装置６２により転写された用紙上の現像剤像を用紙に定着させる例えば加圧ロールと加熱ロールとからなる定着装置６４とから構成されている。光書込み装置５８は例えば走査型のレーザ露光装置からなり、前述した給紙ユニット１８と平行で画像形成装置本体１２の正面近傍に配置され、現像機ユニット６０内を横切って像担持体５４を露光する。また、現像機ユニット６０は、像担持体５４と対向する現像ロール６６を有する。
【００１８】プロセスカートリッジ６８は、像担持体５４、帯電装置５６、現像機ユニット６０及びクリーニング装置６３を一体化したものである。このプロセスカートリッジ６８は、排出部１６の傾斜部５０の直近下方に配置されており、前述したように、傾斜部５０を開いたときに形成される開放部５２を介して脱着される。
【００１９】図２において、前述したプロセスカートリッジ６８が示されている。このプロセスカートリッジ６８は、像担持体５４、帯電装置５６及びクリーニング装置６３が配置された像担持体ユニット７０と、現像部７２、第１の現像剤収納部７４ａ、第２の現像剤収納部７４ｂが配置された現像機ユニット６０とに着脱自在に分けられている。
現像機ユニット６０には、例えば現像剤を収納する現像剤収納空間７６を有し、この現像剤収納空間７６の上部は、傾斜部５０の下部に配置される。また、現像剤収納空間７６を構成する上部壁面７８は、傾斜部５０に沿って傾斜部５０と平行であるように形成されている。さらに現像剤収納空間７６の上部には把持部８０が形成されている。この把持部８０は、現像剤収納空間７６を構成する上部両側の壁面が内側に入り込むように形成されており、プロセスカートリッジ６８を脱着するには、この把持部８０を持つことにより容易に行うことができる。
【００２０】像担持体ユニット７０は、像担持体ユニット本体８２を有し、この像担持体ユニット本体８２に像担持体５４と帯電装置５６が設けられている。
また、像担持体ユニット本体８２内でクリーニング装置（クリーニングブレード）６３の上方には、現像剤回収空間８４が形成され、クリーニング装置６３で掻き落とされた現像剤がこの現像剤回収空間８４に回収される。この現像剤回収空間８４にはパドル８６が回転自在に設けられている。
像担持体ユニット本体８２の上部には、シャッタ８８が開閉自在に設けられ、このシャッタ８８は、シャッタ用シャフト９０を介して像担持体ユニット本体８２に移動自在に支持されている。このシャッタ８８は、プロセスカートリッジ６８が装着される前には、像担持体５４の開放部分を閉じ、プロセスカートリッジ６８が装着された場合には、像担持体５４が表に出るように開かれるものである。
【００２１】現像機ユニット６０は、フロントハウジング９２とリアハウジング９４とを接合して構成された現像機ユニット本体９６を有し、この現像機ユニット本体９６内は、前述した現像剤収納空間７６と、現像ロール６６が配置された現像部７２とに分かれている。現像剤収納空間７６は、潜像書込み位置Ｐから延ばした水平線（この実施形態においては、光書込み装置からの走査光路）を境として、上部に位置する第１の現像剤収納部７４ａと、下部に位置する第２の現像剤収納部７４ｂとに隔壁９８を介して分けられている。第１の現像剤収納部７４ａの現像剤収納容積は、第２の現像剤収納部７４ｂの現像剤収納容積よりも大きくなっている。
【００２２】図３に示すように、隔壁９８は、光書込み装置からの走査光路を形成する例えば四角形状の窓部１００を形成していると共に、この窓部１００の両側で現像機ユニット本体９６と共に現像剤通路１０２ａ，１０２ｂを構成している。現像剤通路１０２ａ，１０２ｂは、第１の現像剤収納部７４ａと第２の現像剤収納部７４ｂとを連通させている。第１の現像剤収納部７４ａは、前述したように、該第１の現像剤収納部７４ａの上部が傾斜部５０の下部に配置されていると共に、第１の攪拌搬送装置１０４が回転自在に配置されている。
【００２３】第１の攪拌搬送装置１０４は、軸部１０６と、この軸部１０６の軸線方向中央部から両端に向けて、それぞれ異なった巻き方向で、らせん状に形成された巻き線部１０８ａ，１０８ｂとを有し、この軸部１０６と巻き線部１０８ａ，１０８ｂとが一つの線材から構成されている。したがって、この第１の攪拌搬送装置１０４が回転すると、第１の現像剤収納部７４ａに収納された現像剤を軸線方向両側の現像剤通路１０２ａ，１０２ｂに供給することができ、この現像剤通路１０２ａ，１０２ｂを介して現像剤が第２の現像剤収納部７４ｂに供給される。また、第２の現像剤収納部７４ｂには、第２の攪拌搬送装置１１０が第１の攪拌搬送装置１０４の下方位置で回転自在に配置されている。
【００２４】第１の攪拌搬送装置１０４及び第２の攪拌搬送装置１１０は、像担持体５４側から伝達される駆動力により、各攪拌搬送装置用ギア１１２及びアイドルギア１１４を介して駆動される。
【００２５】図４及び図５（Ａ）〜（Ｃ）において、第２の攪拌搬送装置１１０が示されている。この第２の攪拌搬送装置１１０は、回転軸となる一直線上に配置される軸部１１６ａ，１１６ｂ、屈曲部１１８及び平坦部１２０ａ，１２０ｂから構成される。屈曲部１１８は、屈曲部１１８の中心点が第２の攪拌搬送装置１１０のほぼ中央で回転軸から外れるように配置される。平坦部１２０ａ，１２０ｂは、板状に形成されて、それぞれ軸部１１６ａ，１１６ｂと屈曲部１１８とを接続し、傾斜して回転軸に向かう面が大きくなるように配置される。さらに、平坦部１２０ａ，１２０ｂには、現像剤を通過させることができる窓状の現像剤通過部１２２が複数設けられている。現像剤通過部１２２は、平坦部１２０ａ，１２０ｂの回転軸側の面から平坦部１２０ａ，１２０ｂの対向する面に向けて平坦部１２０ａ，１２０ｂを貫通するように設けられている。第２の攪拌搬送装置１１０は、第２の現像剤収納部７４ｂの現像剤を攪拌し、両端から中央へ均等に分散させるように搬送して第３の攪拌搬送装置１２４に供給する。
以下、平坦部１２０ａ，１２０ｂの回転軸側の面を単に「内面」とも略記する。また、平坦部１２０ａ，１２０ｂの内面に対向する平坦部１２０ａ，１２０ｂの面を単に「外面」とも略記する。
【００２６】第２の現像剤収納部７４ｂには、さらに第３の攪拌搬送装置１２４と第４の攪拌搬送装置１２６とが配置されている。第３の攪拌搬送装置１２４は、一端が固定されて周方向に延びる板状部（図示せず）により現像剤を第４の攪拌搬送装置１２６へ供給する。第４の攪拌搬送装置１２６は、第２の現像剤収納部７４ｂの出口部分に配置され、第３の攪拌搬送装置１２４により搬送された現像剤を現像ロール６６に搬送すると共に、この新しい現像剤と、現像ロール６６から掻き落とされた劣化した現像剤とを混合する。この現像ロール６６には、例えば樹脂から構成された層厚規制部材１２８が接触しており、この層厚規制部材１２８によって、現像ロール６６の表面に付着した現像剤の層厚を規制する。
【００２７】第３の攪拌搬送装置１２４、第４の攪拌搬送装置１２６及び現像ロール６６は、前述した第１の攪拌搬送装置１０４及び第２の攪拌搬送装置１１０と同様に、像担持体５４側から伝達される駆動力によって、各攪拌搬送装置用ギア１１２及びアイドルギア１１４を介して駆動される。
【００２８】次に上記実施形態の作用について説明する。
像担持体５４が帯電装置５６により一様に帯電され、この帯電された像担持体５４には、画像信号に基づいて光書込み装置５８から発した光が照射され、潜像書込み位置Ｐにおいて潜像が形成される。光書込み装置５８からの光は、プロセスカートリッジ６８の窓部１００を介してプロセスカートリッジ６８内を通過する。この光書込み装置５８により形成された像担持体５４の潜像は現像機ユニット６０の現像剤により可視化される。
【００２９】現像剤は、第１の現像剤収納部７４ａと第２の現像剤収納部７４ｂとの双方に収納されており、第１の現像剤収納部７４ａに収納された現像剤は、第１の攪拌搬送装置１０４の回転により両側に搬送され、現像剤通路１０２ａ，１０２ｂを介して第２の現像剤収納部７４ｂに搬送される。
【００３０】第２の現像剤収納部７４ｂに搬送された現像剤は、第２の攪拌搬送装置１１０の平坦部１２０ａ，１２０ｂの内面側に位置する場合には、第２の攪拌搬送装置１１０が回転すると、平坦部１２０ａ，１２０ｂの内面の傾きにより両端から中央に向けて搬送される。また、現像剤は、第２の攪拌搬送装置１１０の平坦部１２０ａ，１２０ｂの外面側に位置する場合には、第２の攪拌搬送装置１１０が回転すると、平坦部１２０ａ，１２０ｂの外面の傾きにより中央から両端に向けて搬送される。すなわち、第２の攪拌搬送装置１１０は、回転することにより、両端から中央及び中央から両端の両方向へ交互に現像剤の流れを発生させると共に攪拌作用を生じさせる。よって、第２の攪拌搬送装置１１０は、第２の現像剤収納部７４ｂの現像剤が中央部に凝集することを防止すると共に、現像剤が軸方向で均等になるように分散させる。均等に分散された現像剤は、第３の攪拌搬送装置１２８及び第４の攪拌搬送装置１３０により現像部７２に搬送される。
【００３１】この現像部７２においては、搬送された現像剤が現像ロール６６に付着し、層厚規制部材１２８により層厚が規制され、像担持体５４と対峙する現像位置まで搬送され、像担持体５４の潜像に対応して現像剤の像が形成される。
【００３２】一方、サイズ信号等により給紙ユニット１８のいずれか一つが選択され、給紙カセット２２の一つに収納された記録媒体は、ナジャーロール２４により送り出され、リタードロール２６及びフィードロール２８により捌かれて搬送路３６に導かれ、レジストロール４０により一次停止され、タイミングをとって転写装置６２と像担持体５４との間に導かれる。
【００３３】このようにして記録媒体が転写装置６２と像担持体５４との間に導かれると、像担持体５４上の現像剤が転写装置６２により記録媒体に転写される。この現像剤が転写された記録媒体は、定着装置６４を通って排出口３８から排出部１６へ排出されるものである。
【００３４】図６（Ａ），（Ｂ）において、前述した第２の攪拌搬送装置１１０に関する第１の変形例が示されている。この第１の変形例における第２の攪拌搬送装置１１０は、支軸１１６ａ，１１６ｂに続いて平坦部１２０ａ，１２０ｂが断面円形に形成されている。この第１の変形例においてもほぼ中央に屈曲部１１８が形成されており、同様の作用効果を奏する。
【００３５】図７（Ａ），（Ｂ）において、前述した第２の攪拌搬送装置１１０に関する第２の変形例が示されている。この第２の変形例における第２の攪拌搬送装置１１０は、支軸１１６ａ，１１６ｂに続いて平坦部１２０ａ，１２０ｂが断面楕円形に形成されている。この第２の変形例においてもほぼ中央に屈曲部１１８が形成されており、同様の作用効果を奏する。
【００３６】図８（Ａ），（Ｂ）において、前述した第２の攪拌搬送装置１１０に関する第３の変形例が示されている。この第３の変形例における第２の攪拌搬送装置１１０は、支軸１１６ａ，１１６ｂに続いて平坦部１２０ａ，１２０ｂが、例えば、断面六角形に形成されている。この第３の変形例においてもほぼ中央に屈曲部１１８が形成されており、同様の作用効果を奏する。なお、第３の変形例において、第２の攪拌搬送装置１１０の断面は、六角形とされているが、これに限定されるものではなく、その他の多角形であってもよい。
【００３７】以上のように、第２の攪拌搬送装置１１０は、回転軸と平坦部１２０ａ，１２０ｂの間にある現像剤を平坦部１２０ａ，１２０ｂの回転軸に対する傾きにより両端から中央に向けて搬送する。また、現像剤は、第２の攪拌搬送装置１１０が回転する範囲外に位置する場合には、第２の攪拌搬送装置１１０が回転すると、平坦部１２０ａ，１２０ｂの回転軸に対する傾きにより中央から両端に向けて搬送される。よって、第２の現像剤収納部７４ｂの現像剤は均等に分散される。
【００３８】また、板状の平坦部１２０ａ，１２０ｂは、現像剤通過部１２２を複数列に配置させた格子状であってもよい。平坦部１２０ａ，１２０ｂが棒状の場合には、断面がその他の形状であってもよい。
さらに、第２の攪拌搬送装置１１０は、複数の屈曲部１１８及び平坦部１２０ａ，１２０ｂを有し、少なくとも１つの屈曲部１１８の中心点が第２の攪拌搬送装置１１０のほぼ中央で回転軸から外れた位置に配置される形状であってもよい。
第２の攪拌搬送装置１１０が現像剤を搬送する搬送力は、現像剤の流動性などに応じて屈曲部１１８の数、回転軸に対する角度及び現像剤通過部１２２の数、形状などによって調整される。
第１の攪拌搬送装置１０４及び第３の攪拌搬送装置１２４は、第２の攪拌搬送装置１１０と同様の形状とすることもできる。
【００３９】なお、上記実施形態においては、一成分現像方式が用いられているが、これに限定されるものではなく、二成分現像方式であってもよい。また、上記実施形態においては、像担持体から直接記録媒体に現像剤像を転写しているが、これに限定されるものではなく、中間転写体を像担持体と記録媒体との間に介在させてもよい。さらに、上記実施形態においては、白黒の画像形成装置について説明したが、カラー用の画像形成装置についても本発明が適用できることは勿論である。
【００４０】
【発明の効果】以上述べたように、本発明によれば、攪拌搬送装置を軸部に対して屈曲させたので、現像剤収納部の現像剤が凝集することを防止できる。
【図面の簡単な説明】
【図１】本発明の実施形態に係る画像形成装置を示す断面図である。
【図２】本発明の実施形態に係るプロセスカートリッジを示す断面図である。
【図３】本発明の実施形態に係るプロセスカートリッジにおいて、現像剤の供給経路を示す側面図である。
【図４】本発明の実施形態に係るプロセスカートリッジに用いた第２の攪拌搬送装置を示す斜視図である。
【図５】本発明の実施形態に係るプロセスカートリッジに用いた第２の攪拌搬送装置を示す上面図、正面図及び側面図である。
【図６】本発明の実施形態に係るプロセスカートリッジに用いた第２の攪拌搬送装置の第１の変形例を示す側面図及び断面図である。
【図７】本発明の実施形態に係るプロセスカートリッジに用いた第２の攪拌搬送装置の第２の変形例を示す側面図及び断面図である。
【図８】本発明の実施形態に係るプロセスカートリッジに用いた第２の攪拌搬送装置の第３の変形例を示す側面図及び断面図である。
【符号の説明】
１０    画像形成装置
１２    画像形成装置本体
１４    像形成手段
１６    排出部
１８    給紙ユニット
２２    給紙カセット
３６    搬送路
４０    レジストロール
５４    像担持体
５６    帯電装置
５８    光書込み装置
６０    現像機ユニット
６２    転写装置
６３    クリーニング装置
６４    定着装置
６８    プロセスカートリッジ
７０    像担持体ユニット
７４ａ    第１の現像剤収納部
７４ｂ    第２の現像剤収納部
７６    現像剤収納空間
１００    窓部
１０２ａ，１０２ｂ    現像剤通路
１０４    第１の攪拌搬送装置
１１０    第２の攪拌搬送装置
１１６ａ，ｂ    軸部
１１８    屈曲部
１２０ａ，ｂ    平坦部
１２２    現像剤通過部
１２４    第３の攪拌搬送装置
【図１】
2004157439.tif 000003
【図２】
2004157439.tif 000004
【図３】
2004157439.tif 000005
【図４】
2004157439.tif 000006
【図５】
2004157439.tif 000007
【図６】
2004157439.tif 000008
【図７】
2004157439.tif 000009
【図８】
2004157439.tif 000010